(57)【要約】      （修正有）【課題】液体状又は半液体状の食品製造装置におけるプロセス情報を効率良く確実に送信および保存する。【解決手段】液体状又は半液体状の食品を製造するための装置１は、液体状又は半液体状の基本製品を加工するために加工チャンバ３を形成する第一加工容器２と、第一加工容器２内に搭載した撹拌機４と、第一加工容器２と連結する熱交換器６を備えた熱システム５と、処理制御ユニット７と、を備える。処理制御ユニット７は、データを送受信するモジュール８と、処理モジュール９と、この処理モジュール９が実行可能である処理ソフトウェア指令を備えるメモリ１０とを備える。処理制御ユニット７によって、分散型アーキテクチャデータベース（ＤＢ）のストレージノードを形成する。【選択図】図１
2019164784.tif 000002
【特許請求の範囲】
【請求項１】
液体状又は半液体状の食品を製造するための装置（１）であって、
−液体状又は半液体状の基本製品を加工するための第一加工容器（２）であって、加工チャンバ（３）を形成する第一加工容器（２）と、
−前記第一加工容器（２）内で前記製品を混合するための撹拌機（４）と、
−処理モジュール（９）と、前記処理モジュール（９）が実行可能である処理ソフトウェア指令を備えるメモリ（１０）とを備える処理制御ユニット（７）であって、分散型アーキテクチャデータベース（ＤＢ）のストレージノードを形成する処理制御ユニット（７）と、を備える装置。
【請求項２】
前記第一加工容器（２）と連結される熱交換器（６）を備える熱システム（５）を備える、請求項１に記載の装置。
【請求項３】
前記処理制御ユニット（７）が、分散台帳型の分散型アーキテクチャデータベース（ＤＢ）のストレージノードを形成する、請求項１又は２に記載の装置。
【請求項４】
前記処理制御ユニット（７）が、分散ブロックチェーン型の分散型アーキテクチャデータベース（ＤＢ）のストレージノードを形成し、複数の相互接続された情報ブロック（Ｂ１、Ｂ２、…Ｂｎ）にグループ分けされた情報を含む、請求項３に記載の装置。
【請求項５】
前記複数の情報ブロック（Ｂ１、Ｂ２、Ｂｎ）が暗号アルゴリズムによって相互接続される、請求項４に記載の装置。
【請求項６】
前記処理制御ユニット（７）が、プルーフ・オブ・ワークプロトコルで動作する分散型アーキテクチャデータベースのノードを形成するよう構成される、請求項１から５のいずれかに記載の装置。
【請求項７】
前記処理制御ユニット（７）が、プルーフ・オブ・ステークプロトコルで動作する分散型アーキテクチャデータベースのノードを形成するよう構成される、請求項１から５のいずれかに記載の装置。
【請求項８】
前記装置（１）が、量又は動作パラメータを捕らえるよう構成され、前記処理制御ユニット（７）に接続されるセンサー（１２）を備え、前記処理制御ユニット（７）が、前記センサー（１２）が捕らえた情報を前記分散型アーキテクチャデータベース（ＤＢ）に書き込むよう要求を生成するよう構成される、請求項１から７のいずれかに記載の装置。
【請求項９】
前記装置（１）が、少なくとも一つのユーザ起動可能コマンドを備え、前記処理制御ユニット（７）に接続されるユーザインタフェース（１３）を備え、前記処理制御ユニット（７）が、当該コマンドの起動に関連する情報を前記分散型アーキテクチャデータベースに書き込むよう要求を生成するよう構成される、請求項１から８のいずれかに記載の装置。
【請求項１０】
前記装置（１）が、液体状又は半液体状の基本製品を加工するための前記第一加工容器（２）に接続され、前記製品を前記第一加工容器（２）から抽出可能とするディスペンサ（１４）を備える、請求項１から９のいずれかに記載の装置。
【請求項１１】
液体状又は半液体状の食品を製造するための製造システム（１００）であって、
−請求項１から１０のいずれかに記載の少なくとも一つの装置（１）と、
−複数のストレージノードに保存される分散型アーキテクチャデータベース（ＤＢ）であって、前記データベース（ＤＢ）の少なくとも一部は、前記複数のストレージノードの一つを形成する前記少なくとも一つの装置（１）の前記処理制御ユニット（７）内に保存される、分散型アーキテクチャデータベース（ＤＢ）と、を備える製造システム。
【請求項１２】
前記分散型アーキテクチャデータベース（ＤＢ）がブロックチェーン型であって、複数の相互接続された情報ブロック（Ｂ１、Ｂ２、Ｂｎ）にグループ分けされた情報を含む、請求項１１に記載の製造システム（１００）。
【請求項１３】
前記データベース（ＤＢ）が、特定の電子アドレスに対するトークンの存在に関連する情報を含む、請求項１２に記載の製造システム。
【請求項１４】
前記処理制御ユニット（７）が、前記ブロックチェーン型の前記分散型アーキテクチャデータベース（ＤＢ）に新たなブロックを追加した結果、更なるトークンを生成し、選択された電子アドレスに前記トークンを割り当てるよう構成される、請求項１３に記載の製造システム。
【請求項１５】
前記選択された電子アドレスは、前記新たなブロックを最初に検証して前記分散型アーキテクチャデータベース（ＤＢ）に当該新たなブロックを追加するイネーブルを付与した前記装置（１）に関連付けられた電子アドレスに対応する、請求項１４に記載の製造システム。
【請求項１６】
前記分散型アーキテクチャデータベース（ＤＢ）が、Ｅｔｈｅｒｅｕｍ、Ｅｔｈｅｒｅｕｍ  Ｃｌａｓｓｉｃ又はＩｏｔａ又はＥｏｓ又はＮＥＯ又はＷａｖｅｓ又はＱｔｕｍ又はＮＥＭ又はＭｕｌｔｉｖｅｒｓｕｍ又はＲ３  Ｃｏｒｄａ又はＲｉｐｐｌｅ又はＳｔｅｌｌａｒプラットフォーム上に構築される、請求項１０から１５のいずれかに記載の製造システム。
【請求項１７】
複数の処理装置（１６）を備え、前記複数の処理装置は前記分散型アーキテクチャデータベース（ＤＢ）の完全なコピーを維持するよう構成され、前記ストレージノードのネットワーク内で接続される、請求項１０から１６のいずれかに記載の製造システム。
【請求項１８】
前記複数の装置（１）の前記処理制御ユニット（７）は、インターネットを介して互いに接続される、請求項１０から１７のいずれかに記載の製造システム。
【請求項１９】
前記分散型アーキテクチャデータベース（ＤＢ）はブロックチェーン型であって、複数の相互接続された情報ブロック（Ｂ１、Ｂ２、Ｂｎ）にグループ分けされた情報を含み、前記複数のブロック（Ｂ１、Ｂ２、Ｂｎ）の各ブロックは関連する時間マークを有する、請求項１０から１８のいずれかに記載の製造システム。
【発明の詳細な説明】
【技術分野】
【０００１】
本発明は、液体状又は半液体状食品製造用の装置及び液体状又は半液体状食品製造用の装置を備える製造システムに関する。
【背景技術】
【０００２】
装置の操作及び／又は装置とそのユーザとの間のやり取りに関する情報を特に効率よく保存及び交換することのできる装置の必要性が、液体状又は半液体状食品製造業界で特に強く感じられている。
【０００３】
このような業界においては、プロセス又は使用データを上述のようなデータを保存する中央処理装置へと送信可能である装置が知られてきた。
【０００４】
このようなシステムには幾つかの問題があるが、特に重大な問題は、中央サーバに保存したデータを失う危険性に関する。実用上このようなデータは途切れなく受信したり保存したりする必要があるので、定期的にバックアップを行ってもデータ損失の危険性が部分的に制限されるだけである。
【０００５】
更に、特に特定の種類のデータを受信及び保存する際に、データの信憑性を保証する必要性がある。
【発明の概要】
【０００６】
本発明は、液体状又は半液体状の製品を製造するための装置であって、プロセス情報を効率よく確実に送信及び保存可能であるよう保証することのできる装置を提供することによって、上述の必要性を満たすことを目的とする。
【図面の簡単な説明】
【０００７】
上述の目的に関する本発明の技術的特徴は、添付の請求項に明示されており、その利点は好ましいが非限定的である本発明の実施形態を示す添付の図面を参照しながら以下の詳細な記載によってより明らかとなる。
【図１】本発明に記載の装置の第一実施形態の概略図。
【図２】本発明に記載の装置の第二実施形態の概略図。
【図３】本発明に記載の装置の第三実施形態の概略図。
【図４】本発明に記載の装置の第四実施形態の概略図。
【図５】本発明に記載の装置の第五実施形態の概略図。
【図６】本発明に記載の装置システムの概略図。
【図７】ブロックチェーン型の分散型アーキテクチャデータベースの概略図。
【発明を実施するための形態】
【０００８】
添付の図面を参照すると、参照符号１は、本発明の対象物を形成する装置であって、液体状又は半液体状の食品を製造するための装置を表す。
【０００９】
本装置は、アイスクリーム、パン、菓子類及び関連する業種（例えば、ジェラート、ソフトアイスクリーム、グラニータ、ソルベ、ミルクセーキ、ヨーグルト、フローズンデザート、冷蔵デザートクリーム等であるがこれらに限定されない）用の製品を製造するよう設計されることが好ましい。
【００１０】
液体状又は半液体状の製品を製造するための装置１は、
−液体状又は半液体状の基本製品を加工するための第一加工容器２であって、加工チャンバ３を形成する第一加工容器２と、
−第一加工容器２内で製品を混合するための撹拌機４（撹拌機４は、第一容器２の内部に搭載されることが好ましい）と、
−処理制御ユニット７であって、処理モジュール９と、処理モジュール９が実行可能である処理ソフトウェア指令を備えるメモリ１０とを備え、分散型アーキテクチャデータベースＤＢの（電子）ストレージノードを形成する処理制御ユニット７と、を備える。
【００１１】
装置１が更に、第一加工容器２と連結する熱交換器６を備える熱システム５を備えることが好ましい。
【００１２】
メモリ１０は、分散したＨＷメモリであっても単一ユニット内に集中するメモリであってもよい。
【００１３】
ストレージノードが「マイニングノード（ｍｉｎｉｎｇ  ｎｏｄｅ）」であることが好ましい。
【００１４】
処理制御ユニット７は、データを受信及び送信するためのモジュール８を備えることが好ましい。
【００１５】
データを受信及び送信するためのモジュール８は、データ通信インタフェースを備える。
【００１６】
データを受信及び送信するためのモジュール８は、インターネット網に接続されるよう構成されることが好ましい。
【００１７】
別の態様によれば、処理制御ユニット７は、分散台帳（ｄｉｓｔｒｉｂｕｔｅｄ  ｌｅｄｇｅｒ）型の分散型（非集中型）アーキテクチャデータベースＤＢのストレージノードを形成する。
【００１８】
添付の図面に示すように、装置１は、撹拌機４を回転駆動するために撹拌機４に接続されるモータを備える。
【００１９】
このモータが処理制御ユニット７に接続されることが好ましい。
【００２０】
更なる態様によれば、熱システム５は、第一加工容器２に連結する熱交換器６と、更なる熱交換器２０と、圧縮機２１と、減圧要素２２とを備える。
【００２１】
尚、熱交換器６、更なる熱交換器２０、圧縮機２１、及び減圧要素２２によって、熱交換流体を収容する回路が形成される。
【００２２】
即ち、熱システム５は、（熱交換流体を用いて熱力学サイクルに応じて動作するよう構成される）熱力学型のシステムである。
【００２３】
処理制御ユニット７は、分散するＨＷ及びＳＷ要素を有する分散型のユニットであっても、単一のユニットであってもよい。
【００２４】
更なる態様によれば、処理制御ユニット７は、分散ブロックチェーン型の分散型アーキテクチャデータベースＤＢのストレージノードを形成し、複数の相互接続した情報ブロック（Ｂ１、Ｂ２、…Ｂｎ）にグループ分けされた情報を備える。
【００２５】
更なる態様によれば、処理制御ユニット７は、プルーフ・オブ・ワーク（ｐｒｏｏｆ−ｏｆ−ｗｏｒｋ）プロトコルで動作する分散型アーキテクチャデータベースのストレージノードを形成するよう構成される。
【００２６】
更なる態様によれば、処理制御ユニット７は、プルーフ・オブ・ステーク（ｐｒｏｏｆ−ｏｆ−ｓｔａｋｅ）プロトコルで動作する分散型アーキテクチャデータベースのストレージノードを形成するよう構成される。
【００２７】
更なる態様によれば、装置１は、量又は動作パラメータを捕らえるよう構成され、処理制御ユニット７に接続されるセンサー１２を備え、処理制御ユニット７は、センサー１２が捕らえた情報を分散型アーキテクチャデータベースに書き込むよう要求を生成するよう構成される。
【００２８】
一態様によれば、センサー１２は温度センサーであって、周辺環境の又は容器２内部の製品の又は熱システム５内のある点での熱交換流体の温度を測定するよう構成される。
【００２９】
更なる態様によれば、センサー１２は、液面センサーであって、容器２内の製品の液面を測定するよう構成される。
【００３０】
更なる態様によれば、センサー１２は流量センサーであって、容器２内に供給される基本混合物の流量を測定するよう構成される。
【００３１】
更なる態様によれば、センサー１２は流量センサーであって、容器２から排出される製品の流量を測定するよう構成される。この場合、流量センサーは、ディスペンサ−と連結するセンサーであることが好ましい。
【００３２】
更なる態様によれば、センサー１２は圧力センサーであって、容器２内の製品の圧力を測定するよう構成される。
【００３３】
更なる態様によれば、センサー１２は重量センサ（例えば、ロードセル）であって、容器２内の製品の重量又は容器２に接続される更なる容器（例えば図４の９０）の重量を測定するよう構成される。
【００３４】
更なる態様によれば、センサー１２は圧力センサーであって、熱システム５内のある点での熱交換流体の圧力を測定するよう構成される。
【００３５】
より一般的に言えば、更なる態様によれば、センサー１２は、（別の容器又はバッグから、又は任意の付属部品を介して）容器２内に供給される、又は容器２から排出される、又は容器２内部にある基本製品の量を測定するよう構成された任意のセンサーである。
【００３６】
更なる態様によれば、装置１は、少なくとも一つのユーザ起動可能コマンド（複数のコマンドであることが好ましい）を備え、処理制御ユニット７に接続されるユーザインタフェース１３を備えており、処理制御ユニット７は、そのようなコマンドの起動に関連する情報を分散型アーキテクチャデータベースに書き込むよう要求を生成するよう構成される。
【００３７】
インタフェース１３がディスプレイを備えることが好ましい。
【００３８】
インタフェース１３が、起動制御スイッチ及び／又はユーザが選択可能なボタンを備えることが好ましい。
【００３９】
更なる態様によれば、装置１は、液体状又は半液体状の基本製品を加工するための第一加工容器２に接続され、製品を容器２から抽出可能とするディスペンサ１４を備える。
【００４０】
ディスペンサ１４が、液体状又は半液体状の基本製品を供給可能とし、ユーザが操作可能なレバーを備えることが好ましい。
【００４１】
更なる態様によれば、処理制御ユニット７は、ハッシュアルゴリズムを行うよう構成される。
【００４２】
更なる態様によれば、処理制御ユニット７は、ＳＨＡ−２５６型のハッシュアルゴリズムを行うよう構成される。
【００４３】
処理制御ユニット７（特にメモリ１０）が、データベースＤＢの（全体又は一部の）コピーを含むことが好ましい。
【００４４】
処理制御ユニット７（特にメモリ１０）が、データベースＤＢに書き込むべき情報（特にトランザクション）を含むデータベースＤＢの（全体又は一部の）コピーを含むことが好ましい。
【００４５】
後者の態様によれば、処理制御ユニット７が（インターネット網又はイントラネット等を介して）分散型アーキテクチャデータベースＤＢのその他のストレージノードと動作接続状態にある場合に、情報（トランザクション）は有効とされる、即ちデータベースＤＢに書き込まれる。
【００４６】
尚、更なる態様によれば、処理制御ユニット７は、分散型アーキテクチャデータベースＤＢにまだ書き込まれていない情報（トランザクション）を有するバッファを備える。
【００４７】
本発明によれば更に、液体状又は半液体状の製品を製造するための製造システム１００が規定され、この製造システムは、
−添付の請求項又は上述の記載によって規定される、少なくとも一つの装置１（複数の装置１であることが好ましい）と、
−（「分散台帳型」として知られる種類の）分散型アーキテクチャデータベースＤＢであって、このデータベースＤＢの少なくとも一部は、少なくとも一つの装置１（又は２台以上の装置１である場合には複数の装置１の少なくとも一部）の処理制御ユニット７内に保存される、分散型アーキテクチャデータベースＤＢと、を備える。
【００４８】
一態様によれば、システム１はプライベート（ｐｒｉｖａｔｅ）システムであって、即ち、分散型アーキテクチャデータベースＤＢは、プライベート型のデータベースである。
【００４９】
ストレージノード同士がインターネット網及び／又はイントラネットを介して相互接続されることが好ましい。
【００５０】
一態様によれば、分散型アーキテクチャデータベースＤＢはブロックチェーン型であって、複数の相互接続された情報ブロック（Ｂ１、Ｂ２、Ｂｎ）にグループ分けされた情報を含む。
【００５１】
データベースＤＢは、特定の電子アドレス（ウォレット）と関連するトークンの存在に関連する情報を含む。
【００５２】
このようなトークン（又は電子通貨又は暗号通貨）は、システム１００専用に作成されたトークンであってよい。
【００５３】
情報ブロック（Ｂ１、Ｂ２、Ｂｎ）は、暗号アルゴリズムによって相互接続されることが好ましい。
【００５４】
各処理制御ユニット７が、暗号アルゴリズムの秘密鍵を有してこれと関連しており、この秘密鍵は更に、（非対称鍵型の）暗号アルゴリズムによってこの秘密鍵と数学的に結びつく公開鍵と関連することが好ましい。
【００５５】
この秘密鍵と公開鍵とのセットは、非対称鍵暗号アルゴリズムを構成する。
【００５６】
各処理制御ユニット７が、分散型アーキテクチャデータベースＤＢに登録されたアドレスを有してこれと関連することが好ましい。
【００５７】
分散型アーキテクチャデータベースＤＢに登録されたアドレスが、好ましくは暗号化ハッシュ関数によって導出される、公開鍵と数学的に結びついていることが好ましい。
【００５８】
公開鍵は、暗号アルゴリズム、特にＥＣＤＳＡ−５１２アルゴリズム及びハッシュ関数によって秘密鍵から得られることが好ましい。
【００５９】
分散型アーキテクチャデータベースＤＢに登録された電子（即ち英数字）アドレスは、（暗号関数を介して）公開鍵から得られることが好ましい。
【００６０】
新たな情報をデータベースに追加する及び（特に、その情報が電子アドレスと関連するトークンからなる場合）そのような情報を特定の電子アドレスと関連付けるために認証される必要性がある場合には、各処理制御ユニット７が秘密鍵を使用することが好ましい。
【００６１】
秘密鍵及び公開鍵は、数字又は英数字の組み合わせによって定義される。
【００６２】
更なる態様によれば、複数の情報ブロック（Ｂ１、Ｂ２、Ｂｎ）の各ブロックは、関連する時間マーク（ｔｉｍｅ−ｍａｒｋｉｎｇ）を有することが好ましい。
【００６３】
更なる態様によれば、複数の情報ブロック（Ｂ１、Ｂ２、Ｂｎ）の各ブロックは、関連する（数学的に導出された）ハッシュ値を（好ましくはヘッダとして）有することが好ましい。
【００６４】
このハッシュ値は、ブロックに関連するコンテンツ上で実行される暗号化ハッシュ関数によって生成されることが好ましい。
【００６５】
これによって、ブロックの不変性が保証されるが、暗号アルゴリズムを実行することで、ブロックのコンテンツが該当するハッシュ値を生成するかどうかを確認可能であるということと実質的に関連する（実際、ブロックコンテンツの一ビットが変わっただけで異なるハッシュ値が生成されてしまう）。このハッシュ値は、ブロックのコンテンツに暗号化（ハッシュ）関数を適用することによって得られる。
【００６６】
第一ブロック（ブロックゼロ）を除いて、ブロックそのもののハッシュ値を暗号化ハッシュ関数を用いて生成する前に各ブロックの値をその次のブロックのハッシュ値に加える（ブロックＢ１の値をブロックＢ２に加える）ことが好ましい。
【００６７】
このように、情報ブロックが暗号によって互いに接続され、これによってブロックチェーンの不変性が保証される。
【００６８】
更なる態様によれば、複数の情報ブロック（Ｂ１、Ｂ２、Ｂｎ）の各ブロックは、関連する識別子（固有の英数字の値）を有することが好ましい。
【００６９】
更なる態様によれば、処理制御ユニット７が、ブロックチェーン型の分散型アーキテクチャデータベースＤＢに新たなブロックを追加した結果、更なるトークンを生成し、選択された電子ウォレット（アドレス）にこれらのトークンを割り当てるよう構成される。
【００７０】
更なる態様によれば、選択された電子ウォレット（アドレス）は、新たなブロックを最初に検証して分散型アーキテクチャデータベースＤＢに当該新たなブロックを追加するイネーブルを付与した装置１に関連付けられた電子ウォレット（アドレス）に対応する。
【００７１】
更なる態様によれば、分散型アーキテクチャデータベースＤＢは、Ｅｔｈｅｒｅｕｍ、Ｅｔｈｅｒｅｕｍ  Ｃｌａｓｓｉｃ又はＩｏｔａ又はＥｏｓ又はＮＥＯ又はＷａｖｅｓ又はＱｔｕｍ又はＮＥＭ又はＭｕｌｔｉｖｅｒｓｕｍ又はＲ３  Ｃｏｒｄａ又はＲｉｐｐｌｅ又はＳｔｅｌｌａｒプラットフォーム上に構築される。
【００７２】
更なる態様によれば、システムは、複数の処理装置１６を備え、複数の処理装置は、分散型アーキテクチャデータベースＤＢの完全なコピーを維持し、装置１の処理制御ユニット７とネットワーク内で接続されるよう構成される。
【００７３】
即ち、ノード１６が、分散型アーキテクチャブロックチェーンデータベースの「フルノード（ｆｕｌｌ  ｎｏｄｅ）」を規定し、処理制御ユニット７が、分散型アーキテクチャブロックチェーンデータベースの「ライトウェイトノード（ｌｉｇｈｔｗｅｉｇｈｔ  ｎｏｄｅ）」を規定する。
【００７４】
即ち、装置１の処理制御ユニット７は分散型アーキテクチャデータベースの一部のみを保存及び処理可能であるという利点を有することとなり、従って、処理制御ユニット７はより単純であって低容量のメモリ１０を備え得る。
【００７５】
更なる態様によれば、システムにおいて、複数の装置１の各処理制御ユニット７はインターネットを通じて互いに接続される。
【００７６】
更なる態様によれば、複数の装置１の各処理制御ユニット７は、ＪＳＯＮ−ＲＰＣプロトコルを用いて通信する。
【００７７】
図１は、食品、好ましくはアイスクリーム（ソフトアイスクリーム又は手作りジェラート）を製造するための装置を示す。
【００７８】
図２は、液体状又は半液体状の製品を（熱）処理する、具体的には製品を低温殺菌するよう構成された装置を示す。
【００７９】
図３は、アイスクリーム（ソフトアイスクリーム又は手作りジェラート）を製造するための装置であって、その上部に熱処理（低温殺菌処理）槽を備えた装置を示す。
【００８０】
特に図４を参照すると、この図に示した装置は、容器２に基本製品を供給するための少なくとも一つの更なる容器９０を備える。
【００８１】
更なる容器９０は、ダクト３０によって第一容器２に接続される。
【００８２】
少なくとも一つの更なる容器９０が柔軟な容器である、即ち変形可能（バッグ）であることが好ましい。
【００８３】
一態様によれば、ポンプ１４０が設けられ、更なる容器９０と第一容器２との間で基本製品を移動可能とすることが好ましい。
【００８４】
ポンプ１４０は制御ユニット７に接続されることが好ましい。
【００８５】
更なる実施形態によれば、更なる容器９０は、バッグインボックス型のパッケージである。
【００８６】
更なる容器９０が支持要素８１によって支持されることが好ましい。
【００８７】
図４の実施形態において、装置１は、択一的に互いに接続可能であって選択的に第一容器２に接続可能な複数の容器９０を備えることが好ましい。
【００８８】
特に、各容器９０は、閉構成と開構成とに切り替えられるよう構成された弁８２を有してこれと関連付けられている。開構成では、弁により関連する容器９０から基本製品を排出することができる。
【００８９】
この実施形態においても、製品の加工は容器２の内部で行われる。
【００９０】
本実施形態のセンサー１２は、（第一容器２に供給される、又は更なる容器９０から排出される、又はダクト３０を流れる）基本製品の流量を計測するセンサーであることが好ましい。
【００９１】
或いは、更なる態様によれば、センサー１２は、重量センサーであって、容器９０内部の基本製品の重量を測定するよう構成される。重量センサーは支持部８１と連結されることが好ましい。
【００９２】
特に図５を参照すると、装置１は、基本製品を加工容器２へと供給するための複数の供給容器（Ｓ１、Ｓ２、Ｓ３、Ｓ４、Ｓ５）を備える。基本製品が粉末製品であることが好ましい。
【００９３】
尚、装置１は、加工容器２に接続され、供給容器（Ｓ１、Ｓ２、Ｓ３、Ｓ４、Ｓ５）と加工容器２との間に配置される収集器Ｂを備えることが好ましい。
【００９４】
必要に応じて、装置１は、第一容器２と供給容器（Ｓ１、Ｓ２、Ｓ３、Ｓ４、Ｓ５）との間に配置された、混合チャンバ４０を備えてもよい。混合チャンバにおいて、供給容器（Ｓ１、Ｓ２、Ｓ３、Ｓ４、Ｓ５）から排出された粉末に希釈液を加えることが好ましい。
【図１】
2019164784.tif 000003
【図２】
2019164784.tif 000004
【図３】
2019164784.tif 000005
【図４】
2019164784.tif 000006
【図５】
2019164784.tif 000007
【図６】
2019164784.tif 000008
【図７】
2019164784.tif 000009
【外国語明細書】
2019164784000001.pdf